(57)【要約】      （修正有）【課題】乳幼児の体を確実に保持することのできる低反発弾性フォームを使い、乳幼児を安全に寝かしたり座らせたりすることのできる乳幼児用クッションマットを提供する。【解決手段】自然なポジションで乳幼児の体を保持できる低反発弾性フォーム１で作った厚さを少なくとも体を十分保持できるクッション材をクッションゴムのような耐水性の優れた高分子物質で作られた防水シートの薄膜２で密閉させた構造とし、リクライニング機構や足のストッパー機構、枕部に可動にする機能を設けることで、安全で安心して使える乳幼児用低反発クッションマットである。【選択図】図２
2012081150.tif 000002
【特許請求の範囲】
【請求項１】
乳幼児の体をしっかり保持できる低反発弾性フォームで作った厚さを小なくとも３ｃｍ〜３０ｃｍのクッション材１を耐水性、防水性にすぐれた高分子物質で作った薄膜２で密着密閉させた構造にした乳幼児用浴室クッションマット。
【請求項２】
前記クッションマットにリクライニング機構を内蔵させた構造とした請求項１記載の乳幼児用浴室クッションマット。
【請求項３】
前記リクライニング機構を内蔵させたクッションマットに更に足のストッパー部５となる可動部を持たせた請求項２記載の乳幼児用浴室クッションマット。
【請求項４】
前記クッションマットの枕部４に可動させる機能を持たせた請求項１から３のいずれか記載の乳幼児用浴室クッションマット。
【発明の詳細な説明】
【技術分野】
【０００１】
本発明は、乳幼児の入浴時に一緒に入浴する人が、乳幼児の体を洗う時にも、また一緒に入浴している人が体を洗う時にも、乳幼児の体を確実に保持することのできる低反発弾性フォームを使い、乳幼児を安全に寝かしたり座らせたりすることのできる乳幼児用クッションマットを提供するものである。
【背景技術】
【０００２】
現在、乳幼児の入浴時に一時的に浴室内の目の届く場所に、乳幼児を置く場合使われているものは、一般的には、首が据わった幼児であれば、そこに座らせておけるバスチェアー（特許文献１参照）があるが、浴室の床の滑り止めとして使われている発砲ポリウレタン等からなる洗い場マット（特許文献２参照）の上に直接寝かせているケースがあり、また実用新案として乳幼児を寝かせたまま沐浴可能な乳幼児用入浴マット（特許文献３参照）も発表されている。また一般的なスポンジクッションを利用しているとの情報もある。またそれらを使用しない場合は、乳幼児と一緒に入浴する人がずっと乳幼児を保持し続けていないといけない。
【先行技術文献】
【特許文献】
【０００３】
【特許文献１】特開２００４−１２１４９１
【特許文献２】実開昭６３−００１４８７
【特許文献３】実開平７−２２７３６
【発明の概要】
【発明が解決しようとする課題】
【０００４】
上記、従来知られているものでは、特許文献１に代表されるベビーチェアーなら、首のすわった幼児でないと使用することが難しく、しかも体を洗う際には抱き上げて洗わなければいけない。特許文献２の洗い場マットは、幼児の姿勢保持が難しく、洗い場マット自体の厚みがないために力の弱いお母さんが、幼児を抱っこして洗う場合、抱きかかえる際に、石鹸ですべって幼児を落としてしまう危険性が生じる。さらにスポンジシートにおいては、それが硬い場合は優しく幼児の体の支持することが十分ではなく、またスポンジ自体の特性で、水を吸いやすく、乾きにくいため、カビや細菌のすみかになり不衛生である、またこれらは使用していない時の保管場所に困ってしまう、しかしながらそれらの器具を使用しないと、お母さん自身が体を洗うことがしづらくて別に体を洗う時間を作らなければいけないなど困る場面がでてくる。これらのことから安全に幼児と一緒にお風呂に入れるものが求められている。
【０００５】
上記以外の例として、例えば特許文献３記載の乳幼児用入浴マットが提案されているが、この入浴マットは、「台材にポリウレタンフォームフィルター材を使用し寝かせた乳幼児の体重を支持しうる素材」としか唱っておらず、どのようなポリウレタンフォームかが明記されておらず一般的な総称として表記されるに過ぎない。更にこの文献３には「低床の１５〜３０ｍｍ以下程度とすれば、入浴マット全体をロール状に巻いて紐等で縛ることが簡単」とか「横に転がるのを防止するために、縦方向に浅い溝をもうけておく」とかの表現があり材質としては、上記の発砲ポリウレタン等からなる洗い場マットや上記のスポンジシートの例と同様に硬い素材と推測できる、よってこの構造ではポリウレタンフォーム自体で体全体をしっかりと保持するものではない。この欠点を補うために文献３では「乳幼児の肌への刺激を和らげ、摩擦力を高めて滑りにくくするためにウレタンなどの軟質発砲樹脂シートを粘着する」という構造にしている。
【課題を解決するための手段】
【０００６】
本発明は、上記課題を解決するために、乳幼児の体をしっかり保持できる乳幼児の体の形（凹凸）に合わせた形になって、自然なポジションで体を保持できるよう素材を低反発弾性フォーム（例えばテンピュール素材）で作り体を十分保持できるよう３ｃｍから使い勝手の面から約３０ｃｍ、望ましくは５ｃｍ〜１５ｃｍのクッション材としクッションゴムのような耐水性の優れた高分子物質で作られた防水シートの薄膜で密閉させ低反発素材の特徴を損なわない構造にする、またリクライニング機構や足のストッパー機構、枕部を可動にする機能を設けた乳幼児用低反発クッションマットを提供する。
【発明の効果】
【０００７】
このクッションマットは、低反発弾性フォームで作った厚さを少なくとも、体を十分保持できる３ｃｍから使い勝手の面から約３０ｃｍ、望ましくは５ｃｍ〜１５ｃｍのクッション材を使用することで、寝かせた状態の幼児の体の形（凹凸）に添ってクッションマット自体が形を変化し保持するので、首や体が自然なポジションで維持できる。
【０００８】
特に、首の据わる前の乳幼児なら、前述のクッションマットに寝かせた状態で、しっかりと低反発素材が乳幼児の体を保持してくれ、またクッションゴムのような耐水性の優れた高分子物質で作られた防水シートの薄膜で密閉させ低反発素材の特徴を損なわない構造なので、乳幼児の体を洗ったり、お湯を流したり、乳幼児の体重によりクッションマットが沈み込みお湯だまりもでき、簡単なベビーバスのような形態にもなる、またお母さんが体を洗う際には、幼児を寝かせて置いて安心もできるのでお母さんの体調管理もしやすくなる。
【０００９】
さらに前述のクッションゴムのような耐水性の優れた高分子物質で作られた防水シートの薄膜で密閉させ低反発素材の特徴を損なわない構造にすることにより、直接水分がクッションシート内部に侵入することもなく、カビや細菌の発生を防ぐことができる。また低反発素材のクッションマットの厚みを厚くすることで、石鹸で手が滑って幼児を落としても衝撃吸収力が高いので、けがをさせる危険を軽減でき、力の弱いお母さんも乳幼児を、安心してお風呂に入れることができる。
【００１０】
前述クッションマットに足の滑り止めストッパーになるように、従来座椅子やクッションマットに使用されている数段階可動できる可動部を内蔵させることにより、座らせて使用する時に、体がずり落ちることを抑制し、より安心、安全、便利になる。
【００１１】
前述クッションマットの枕部を必要に応じ、奥に約５度、手前に約２０度の範囲で従来座椅子やクッションマットに使用されている数段階可動できる機能を内蔵させることにより、頭だけを少し持ち上げてより頭を安定させて使用する際や、逆に顎を上げることにより洗いにくく、あせもが発生しやすい首を洗う時や、クッションマットをリクライニングさせて使用する際に、より使いやすく便利になる。
【００１２】
前述クッションマットをクッションゴムのような耐水性の優れた高分子物質で作られた防水シートの薄膜を密閉させた構造にすることにより、簡単に水洗いができ、簡単に水分をふき取ることが可能になり、抗菌コートすることも可能とすることで更に衛生的である、また入浴時だけでなく乾いた状態ならそのままでも、またシーツをかけて室内やベビーベッドの中でマットレスがわりに使用することもできる。
【００１３】
本発明でいう「クッションゴムのような耐水性の優れた高分子物質で作られた防水シートの薄膜」とは、ポリ塩化ビニル、エストラマー樹脂と同等の物性としてゴム状の弾力性を持ち、優れた耐水性・耐酸性・耐アルカリ性・難燃性・電気絶縁性を持つもので作られた薄膜をいう。
【００１４】
参考ではあるが、インターネット検索の日本ウレタン協会Q&Aのウインドウのトップに記載されている様に、ポリウレタンフォームには硬質ポリウレタンフォームと軟質ポリウレタンフォームがあります。軟質ポリウレタンフォームの中の一つの種類に低反発弾性フォームがある、また低反発弾性フォームとはとの４番目の質問の二つ目のＡに示されているように、低反発弾性フォームの密度が８０ｋｇ／ｍ３〜４０ｋｇ／ｍ３、反発弾性が２％〜４％であるのに対し一般軟質ポリウレタンフォームの密度は４０ｋｇ／ｍ３〜２０ｋｇ／ｍ３、反発弾性は５０％〜４０％である。また発明者が提案している低反発弾性フォームの中の最も推奨しているテンピュールとは、テンピュールのホームページのトップに記載されているテンピュールの特徴の１、体圧分散  に書かれているように、人の体温と体重を敏感に感知し、ゆっくりと沈みながら体を支えるオープンセル構造の特殊粘弾性ポリウレタンフォームで、この連続気泡構造は、体の形に添ってテンピュール自体が形を変化していき、体圧を全体に分散させ体の一部だけにかかる圧力を大きく半減してくれます。また体の形そのままに反応してくれるため首や体が正確なポジションでとらえられ、理想的なS字が保てます。そして体圧がなくなればすぐにまたもとの形に戻ります。これが普通のウレタンフォームとの決定的な違いです。と書かれています。まさにこの特性こそが、発明者が低反発弾性フォームにこだわっている点である。また最近では更に様々な要望から新しいタイプの低反発弾性フォームも発表されている状況です。
【００１５】
さらにテンピュールのホームページに記載されているテンピュールの特徴の２、  環境問題  に書かれているように“テンピュールは、溶剤に水を使い反応させて生産をしています。つまり環境”に対して無害です。    ３、衛生  に書かれている“テンピュール素材は抗菌処理されているため、細菌が発生しません。”
という特徴は、乳幼児を対象にしている本発明においては非常に有効なものであることを追記しておきます。
【図面の簡単な説明】
【００１６】
【図１】図１（a）は本発明のクッションマットの斜視図,図１（b）は側面図である。
【図２】図２は本発明のクッションマットの断面図である。
【図３】図３（ａ）（ｂ）（ｃ）は本発明のクッションマットに可動部を設けた斜視図及び、図３（ｄ）は可動部のギアの側面図である。
【図４】図４は本発明のクッションマットの三つ折りにした実施例である。
【発明を実施するための形態】
【００１７】
本発明の具体的な形態、形状を図で説明する。図１から図２が実施例１である。
【００１８】
図２に示す様に、乳幼児の体をしっかりと保持できる様に、クッションシートを例えばテンピュール素材のような低反発弾性フォーム１で作り、その周囲を常温で大きな弾性をもつ高分子物質で作成した薄膜２、例えばポリ塩化ビニルとかエラストマー樹脂で作成した薄膜で完全に密着密閉したクッションマットを作成し、例えばそのクッションマットの長さを一歳児の平均身長の約７５ｃｍ、幅を約４５ｃｍ位の乳幼児の体がスッポリと包まれる大きさにし、乳幼児の体重を支え、体を保持できる様に厚みを３ｃｍ〜３０ｃｍ、望ましくは５ｃｍ〜１５ｃｍとし幅の一辺部分の端から約２０ｃｍ位を、さらに厚みを緩やかに約３ｃｍ厚くした枕部４を有した形状とする。所望により長さ、幅の寸法は適宜調整すればよい。
【００１９】
上記のように、クッションシートをテンピュール素材のような低反発弾性フォーム１にし、その厚さを少なくとも３ｃｍ〜３０ｃｍ、望ましくは５ｃｍ〜１５ｃｍにすることで、寝かせた状態の幼児の体の形（凹凸）に添ってクッションマット自体が変形していくので、首や体が自然なポジションで維持することができしっかり体を保持することができる。所望により低反発素材のクッションマットのサイドの厚みを厚くすることで、より包みこむ様な感じにしても良い。
【００２０】
上記のクッションシートを、クッションゴムのような耐水性の優れた高分子物質で作られた防水シートの薄膜、例えばポリ塩化ビニルで作成した薄膜２で、完全に密着密閉することにより、水洗いも容易に行うことができる。その結果クッションシート自体のカビや細菌の発生を防ぐことができ、清潔に保つことが可能である。前記特徴から室内でも安心して使用可能である。
【００２１】
図３（a）に示すように、上記クッションマットの中央部に一般的なソファーベッドや座椅子の曲部で使用される図３（d）に示す可動ギアを使った可動部３を内蔵し利用することにより二つ折りにして持ち運びすることを容易にすると同時に、リクライニングきのう機構を持たすことにより、お座りができるようになった幼児を座らせて置くことも可能となる。
【００２２】
また、同じく図３（ｂ）に示しているように、上記クッションマットの足側から約１０ｃｍのところに、前記記載の可動部３を足のストッパー部５として内蔵し利用することにより、クッションマットをリクライニングさせて使用する時に、幼児がずり落ちない様に、幼児の体勢保持ができる。
【００２３】
また、同じく図３（ｃ）に示しているように、上記クッションマットの枕部に、前記記載の可動部３を奥に約５度、手前に約２０度の範囲で数段階の可動になるすでに座椅子等で利用されている可動機能を内蔵し利用することにより、クッションマットをリクライニングさせて使用する際に、より頭を保持しやすくなり、頭だけを少し持ち上げたて使用する際や、逆に顎を上げて首を洗う時にも便利になり使い勝手が向上する。
【００２４】
また図４に示すように、上記クッションマットを三つ折り可能な形態にすることにより、より持ち運び時にコンパクトにすることが可能になり、保管スペースが少なくすませることができ、また旅行等にも持っていくことが容易になり、旅行先で使用することも容易に行える。
【符号の説明】
【００２５】
１    低反発弾性フォーム  
２    高分子物質で作成した薄膜 
３    可動部
４    枕部
５    足のストッパー部                                                                                                                  
【図１】
2012081150.tif 000003
【図２】
2012081150.tif 000004
【図３】
2012081150.tif 000005
【図４】
2012081150.tif 000006